(57)【要約】【課題】半身浴用の腰掛けにおいて、健康増進に寄与する部材を腰掛け本体に組み込み、浴槽内では腰掛け本体から展開して足裏や腰を刺激し、不使用時には収容して単なる腰掛けとなる半身浴用腰掛けを提供すること。【解決手段】箱形状で内部を空洞とした腰掛け本体１において、前面には下端部の蝶番２を支点として開閉する前開閉蓋３を設け、後面には上端部の蝶番２を支点として開閉する後開閉蓋４を設け、前開閉蓋３の内面及び後開閉蓋４の外面にはそれぞれ多数個の突起８が配設される。このほか、腰掛け本体１に折りたたみマット１４が収納され、各マット単体１５の表面に突起８が配設される。【選択図】　図２
2004024388.tif 000002
【特許請求の範囲】
【請求項１】
腰掛け本体の前面には、下端部を開閉支点とする前開閉蓋を設け、後面には上端部を開閉支点とする後開閉蓋を設け、前開閉蓋の内面及び後開閉蓋の外面には突起が配設されて成る半身浴用腰掛け。
【請求項２】
腰掛け本体の前面には、下端部を開閉支点とする前開閉蓋を設け、後面には上端部を開閉支点とする後開閉蓋を設け、内部には表面に多数個の突起を配設した折りたたみマットを収納し、後開閉蓋の外面には多数個の突起が配設されて成る半身浴用腰掛け。
【請求項３】
前記突起に磁気部を配設して成る請求項１又は請求項２記載の半身浴用腰掛け。
【発明の詳細な説明】
【０００１】
【発明の属する技術分野】
本発明は半身浴用腰掛けに関する。
【０００２】
【従来の技術】
入浴時の半身浴用の椅子は特開２００１−９５７０７号や実登第３０８２２９９号などが提案されている。前者は重錘により浮き上がりを防止して入浴者の座り心地を図り、後者は入浴者の座高に合わせて腰掛けの高さを調節しようとするもので、いずれも半身浴をするときの利便性を求めているが構造上から健康増進に寄与しようとするものではない。健康増進のためには木工製品に磁場を利用した特開平１０−２６２８４９号が提案されているが、該発明のイス及びマットは比重の重い物質をサンドイッチ状に組み合わせて風呂の底に沈ませるもので、イスとマットとが相互に構造的な関連性を持つものではなく、不使用時にコンパクトな状態で浴室に置くことができなかった。
【０００３】
【発明が解決しようとする課題】
本発明は半身浴用の腰掛けにおいて、健康増進に寄与する部材を腰掛け本体に組み込み、浴槽内では腰掛け本体から組み込み部材が展開されて足裏や腰の経穴を刺激でき、不使用時には本体内に収容して単なる腰掛けとして浴室内に置ける半身浴用腰掛けを提供しようとする。
【０００４】
【課題を解決するための手段】
請求項１の半身浴用腰掛けは、箱状の腰掛け本体の前面には下端部を開閉支点とする前開閉蓋を設け、後面には上端部を開閉支点とする後開閉蓋を設け、前開閉蓋の内面及び後開閉蓋の外面にはそれぞれ多数個の突起が配設されて成っている。
請求項２の半身浴用腰掛けは、箱状の腰掛け本体の前面には下端部を開閉支点とする前開閉蓋を設け、後面には上端部を開閉支点とする後開閉蓋を設け、内部には表面に多数個の突起を配設した折りたたみマットを収納し、後開閉蓋の外面には多数個の突起が配設されて成っている。
請求項３の半身浴用腰掛けは、請求項１又は請求項２の半身浴用腰掛けの突起に磁気部を配設して成っている。
【０００５】
【発明の実施の形態】
前開閉蓋や後開閉蓋には、その開口接合端が逆山形状の係止片とＶ字形状の係止溝とによって係止されるもの、マグネットの吸磁力によって吸着されるものがある。突起はその背丈に区々のものがあり、配設される磁気部には所要形状のマグネット粒や磁気被膜体がある。腰掛け本体には、横長截頭角錐台状のもの、後面が浴槽内壁の傾斜面になじむ末細り斜面となっているものがある。
【０００６】
【実施例】
本発明の半身浴用腰掛けａを実施例により説明すると、図１に示すように、高さ２６０ｍｍ、座面の幅３００ｍｍ、奥行き２００ｍｍの截頭角錐台で空洞の腰掛け本体１は、前面には下端部に設けた弾性折曲する蝶番２を支点として開閉する前開閉蓋３を設け、後面には上端部に設けた弾性折曲する蝶番２を支点として開閉する後開閉蓋４を設け、両開閉蓋３、４には骨部５を残して多数個の小孔６を貫設するとともに左右の側面に多数個の小孔６を貫設し、座面に空気抜き用の大径丸孔７を複数個貫設して成っている。
そして、図２に示すように、前開閉蓋３の内面には骨部５に高さ６ｍｍの球状の突起８を多数個所設け、上端部内面にはＶ字形状の係止溝９を設けた止め部１０を設け、係止溝９を腰掛け本体１の開口部１１の上縁左右２個所で垂下し、その下端を逆山形状とする係止片１２に係止片１２の弾性変形によって着脱自在に係止して成り、後開閉蓋４の外面にも球状の突起８を多数個所設け、その下端部内面には係止溝９を設けた止め部１０を設け、係止溝９を腰掛け本体１の開口部１１の下縁左右２個所に設けた係止片１２に弾性変形によって着脱自在に係止して成っている。
したがって、不使用時には図１に示すようなコンパクトな状態で浴室内に置ける。
【０００７】
このようにして成る半身浴用腰掛けａは図３に示すように、前開閉蓋３が蝶番２を支点として開かれ、後開閉蓋４が上端部の蝶番２を支点として上方へ持ち上げられて浴槽内に沈められる。このとき小孔６や大径丸孔７から空気が排出する。
入浴する者は湯につかって座面１３に腰をかけ、前開閉蓋３内面の突起８に足裏を押圧したり、後開閉蓋４外面の突起８に腰を押し当てて半身浴効果に加えて健康増進を図ることができる。
【０００８】
次に、半身浴用腰掛けｂを実施例により説明すると、腰掛け本体１において、前面には下端部の蝶番２を支点として開閉する前開閉蓋３を設け、後面には上端部の蝶番２を支点として開閉する後開閉蓋４を設け、内部の空室には図４に示すように折りたたみマット１４が出入自在に収納され、両開閉蓋３、４には骨部５を残して多数個の小孔６が貫設され、座面１３にも大径丸孔７が複数個貫設され、後開閉蓋４の外面には骨部５の多数個所に突起８が配設される。そして両者の開口端も止め部１０に凹設した係止溝９を腰掛け本体１の係止片１２に着脱自在に係止することによって開閉される。
前記の折りたたみマット１４を説明すると、マット１４は４個のマット単体１５からなり、各マット単体１５は側面視Ｍ字形となるように開口部１１から出入できる幅で一対毎にその上端を折曲自在な弾性体の蝶番２で接合し、各マット単体１５の下端に接合したリング１６に挿通した各支軸１７の両端を左右側面の各内面に横設し前部を開口した案内溝１８に摺動脱却自在に案内し、各マット単体１５の表面側に突起８を多数個配設して成っている。
【０００９】
このようにして成る半身浴用腰掛けｂも半身浴用腰掛けａと同様の姿勢で浴室内に置かれ、使用時には前開閉蓋３を開いて折りたたみマット１４が開口部１１から引き出され、後開閉蓋４が開かれ、上方へ持ち上げられて浴槽内に沈められる。
入浴する者は座面１３に腰をかけ、足裏を折りたたみマット１４の突起８に押圧したり、腰を後開閉蓋４の突起８に押し当てて、半身浴効果に加えて健康増進を図ることができる。
突起８には図５に示すように生体電流による血行を促すためにマグネット１９を埋設したり、磁気層（図外）による被膜が施されることがある。さらに、前開閉蓋３の内面の突起８が出入自在に案内される踏み板（図外）に立設されることや、後開閉蓋４の内面に吸盤（図外）を設けて浴槽内壁に吸着させ腰掛け本体１を支持させることができる。
【００１０】
【発明の効果】
本発明の半身浴用腰掛けによれば、半身浴効果に加えて健康増進が図られ、不使用時にはコンパクトな状態で浴室内に収容できる。
【図面の簡単な説明】
【図１】本発明に係わる半身浴用腰掛けａの斜視図。
【図２】同上半身浴用腰掛けａの幅方向の中央拡大縦断面図。
【図３】半身浴用腰掛けａの使用状態の説明図。
【図４】本発明に係わる半身浴用腰掛けｂの幅方向の中央縦断面図。
【図５】突起８の他の実施態様を示す部分縦断面図。
【符号の説明】
１　腰掛け本体
２　蝶番
３　前開閉蓋
４　後開閉蓋
５　骨部
６　小孔
７　大径丸孔
８　突起
９　係止溝
１０　止め部
１１　開口部
１２　係止片
１３　座面
１４　折りたたみマット
１５　マット単体
１６　リング
１７　支軸
１８　案内溝
１９　マグネット
ａ　半身浴用腰掛け
ｂ　半身浴用腰掛け
【図１】
2004024388.tif 000003
【図２】
2004024388.tif 000004
【図３】
2004024388.tif 000005
【図４】
2004024388.tif 000006
【図５】
2004024388.tif 000007